(57)【要約】【課題】庇板に下向きまたは上向きの荷重が作用しても、庇板が保持具の保持板部の先端縁の部分で折り曲がって変形するのを防止する。【解決手段】庇１は庇板３の基端部が建物の外壁面１０に取り付けられた保持具２の上下に対向する保持板部２１，２２間に保持されている。庇板３は、上下に対向する上板部３１および下板部３２と、上板部３１と下板部３２とで挟まれる空間の基端部側に全幅にわたって配置される補強板部４と、上板部３１と下板部３２とで挟まれる空間に装填される発泡体５とを有する。補強板部４はアルミニウムの押出成形により形成された複数個の型材４０を基端縁を揃えて幅方向に連結して構成されるとともに、各型材が前後方向に沿うよう配置されている。各型材４０，４１，４２は、それぞれの先端縁が保持具２の保持板部２１，２２の先端縁より前方へ突出するようにそれぞれの長さが設定されている。【選択図】図２
2013060739.tif 000002
【特許請求の範囲】
【請求項１】
庇板が建物より前方へ張り出すように庇板の基端部が建物の外壁面に取り付けられた保持具の上下に対向する保持板部間に保持されて成る庇において、
前記庇板は、上下に対向する上板部および下板部と、上板部と下板部とで挟まれる空間の基端部側に配置される補強板部とを有し、前記補強板部は、アルミニウムの押出成形により形成された複数個の型材を基端縁を揃えて幅方向に連結して構成されるとともに、各型材が前後方向に沿うよう配置されており、各型材は、それぞれの先端縁が前記保持具の各保持板部の先端縁より前方へ突出するようにそれぞれの長さが設定されて成る庇。
【請求項２】
前記庇板は、上板部と下板部とで挟まれる空間に装填される発泡体を有している請求項１に記載された庇。
【請求項３】
前記庇板は、上板部と下板部との間の先端の開放端縁に沿って装着される先縁枠と、両側の開放端縁に沿って装着される側縁枠とを有している請求項１または２に記載された庇。
【請求項４】
前記上板部および下板部は、合成樹脂製の芯材をアルミニウムの板材により挟んだ状態で一体に張り合わせて形成されている請求項１〜３のいずれかに記載された庇。
【請求項５】
前記補強板部は、長さが一致する型材を基端縁および先端縁を揃えて幅方向に連結して構成されている請求項１に記載された庇。
【請求項６】
前記補強板部は、長さが異なる少なくとも２種類の型材を基端縁は揃え先端縁は凹凸状にして幅方向に交互に連結して構成されている請求項１に記載された庇。
【請求項７】
請求項１〜６のいずれかに記載された庇であって、前記庇板を上方または下方より支える少なくとも１本のアームをさらに備えており、アームの一端部は建物の壁面に、他端部は庇板に、それぞれ連結されて成る庇。
【請求項８】
前記アームの他端部は、補強板部を構成する複数個の型材のうち他の型材より前方へ長く突き出させた特定の型材の先端部分に連結されている請求項７に記載された庇。
【請求項９】
前記アームの他端部は、庇板の上板部と下板部とで挟まれる空間の前記補強板部より前方位置に幅方向に配設された取付枠部に連結されている請求項７に記載された庇。
【発明の詳細な説明】
【技術分野】
【０００１】
この発明は、建物の外壁面より庇板が前方へ張り出すように設けられる庇に関する。
【背景技術】
【０００２】
従来のその種の庇には種々の態様のものがあり、例えば、図１４に示すように、建物の外壁面１０に取り付けられた保持具２の上下に対向する保持板部２１，２２間に庇板９の基端部が保持された構造のものがある（例えば特許文献１参照）。保持板部２１，２２は、建物の外壁面１０に固着される背板部２０の前面に保持溝２３を挟んで上下に対向するように一体形成されている。庇板９は保持板部２１，２２間の保持溝２３にその基端部が差し込まれ、保持板部２１，２２間を締付ボルト２４およびナット２５により締め付けることにより庇板９の基端部が保持板部２１，２２により挟持されている。
【０００３】
従来、庇板９には種々のものが用いられており、例えば、強度を確保しながら庇板９の薄型化をはかり、そのうえ軽量で製造コストを低減するために、アルミニウム製の上板部９１と下板部９２とで挟まれる空間に発泡体９３を装填したものが提案されている（例えば特許文献２参照）。
【先行技術文献】
【特許文献】
【０００４】
【特許文献１】特許第４１９２１９９号公報
【特許文献２】特開２００９−２７０２９９号公報
【発明の概要】
【発明が解決しようとする課題】
【０００５】
しかしながら、上記した構成の庇では、庇板９に図中、矢印で示すような下向きの荷重（風圧など）Ｆが作用すると、庇板９の下面は下側の保持板部２２の先端縁に押し付けられ、庇板９の押し付けられた部分に荷重が集中して、庇板９は下方へ折れ曲がり、図中、一点鎖線で示すように、くの字形に変形するおそれがある。庇板９に上向きの荷重が作用したときも同様であり、庇板９の上面は上側の保持板部２１の先端縁に押し付けられ、庇板９の押し付けられた部分に荷重が集中して、庇板９は上方へ折れ曲がり、くの字形に変形するおそれがある。
【０００６】
この発明は、上記した問題に着目してなされたもので、庇板に下向きまたは上向きの荷重が作用しても、庇板が保持具の保持板部の先端縁の部分で折り曲がって変形するのを防止した庇を提供することを目的とする。
【課題を解決するための手段】
【０００７】
この発明による庇は、庇板が建物より前方へ張り出すように庇板の基端部が建物の外壁面に取り付けられた保持具の上下に対向する保持板部間に保持されて成るものであり、前記庇板は、上下に対向する上板部および下板部と、上板部と下板部とで挟まれる空間の基端部側に配置される補強板部とを有している。前記補強板部は、アルミニウムの押出成形により形成された複数個の型材を基端縁を揃えて幅方向に連結して構成されるとともに、各型材が前後方向に沿うよう配置されている。各型材は、それぞれの先端縁が前記保持具の各保持板部の先端縁より前方へ突出するようにそれぞれの長さが設定されている。
【０００８】
上記した構成の庇において、庇板に下向きの荷重が作用すると、庇板の下面は保持具の下側の保持板部の先端縁に押し付けられて荷重が集中するが、庇板は補強板部を構成する各型材の先端縁が保持具の保持板部の先端縁より前方へ突出しているので、荷重が集中する部分は補強板部により補強されており、庇板はその押し付けられた部分で下方へ折れ曲がってくの字形に変形するのが防止される。
庇板に上向きの荷重が作用したときも同様であり、庇板の上面は保持具の上側の保持板部の先端縁に押し付けられて荷重が集中するが、補強板部による補強により庇板はその押し付けられた部分で上方へ折れ曲がってくの字形に変形するのが防止される。
【０００９】
好ましい実施態様の庇では、前記庇板は、上板部と下板部とで挟まれる空間に装填される発泡体を有しており、さらに、上板部と下板部との間の先端の開放端縁に沿って装着される先縁枠と、両側の開放端縁に沿って装着される側縁枠とを有している。なお、先縁枠および側縁枠は、例えば、補強板部を構成する両側の型材を先端部まで延出させることで側縁枠を省略したり、上板部と下板部とで挟まれる空間の先端部に全幅にわたって型材を配設することで先縁枠を省略したりすることも可能である。
【００１０】
前記上板部および下板部は、アルミニウムなどの金属板材により構成するのが望ましいが、庇板の軽量化をはかるために、合成樹脂製の芯材をアルミニウムの板材により挟んだ状態で一体に張り合わせたものを用いてもよい。
【００１１】
この発明の好ましい実施態様においては、前記補強板部は、長さが一致する型材を基端縁および先端縁を揃えて幅方向に連結して構成されている。この実施態様によると、補強板部を形成するのに、１種類の型材を用意すればよく、加工の手数が軽減される。
【００１２】
この発明の他の好ましい実施態様においては、前記補強板部は、長さが異なる少なくとも２種類の型材を基端縁は揃え先端縁は凹凸状にして幅方向に交互に連結して構成されている。この実施態様によると、先端縁が凹凸状であって一直線上に揃っていないから、庇板に上向きまたは下向きの荷重が作用したとき、補強板部の先端縁に沿って庇板が折れ曲がりにくく、耐荷重性が高められる。
【００１３】
風圧などに対する耐荷重性を一層高めるために、前記庇板を上方または下方より支える少なくとも１本のアームをさらに備えたものであってもよく、その場合、アームの一端部は建物の壁面に、他端部は庇板に、それぞれ連結される。
【００１４】
上記のアームを備えた庇では、前記アームの他端部は、補強板部を構成する複数個の型材のうち他の型材より前方へ長く突き出させた特定の型材の先端部分に連結したり、庇板の上板部と下板部とで挟まれる空間の前記補強板部より前方に幅方向に配設された取付枠部に連結したりして、アームにより庇板を支持する。
【発明の効果】
【００１５】
この発明によると、上板部と下板部とで挟まれる空間の基端部側に補強板部を配置し、補強板部を構成する各型材の先端縁を保持具の保持板部の先端縁より前方へ突出させたから、庇板に下向きまたは上向きの荷重が作用しても、庇板が保持具の保持板部の先端縁の部分で折り曲がって変形するのを防止することができる。
【図面の簡単な説明】
【００１６】
【図１】この発明の一実施例である庇の外観を示す斜視図である。
【図２】図１のＡ−Ａ線に沿う拡大断面図である。
【図３】庇板の分解斜視図である。
【図４】上板部および下板部の他の実施例の構成を示す拡大断面図である。
【図５】先縁枠の取付構造を示す断面図である。
【図６】側縁枠の取付構造を示す断面図である。
【図７】補強板部の構成を示す正面図である。
【図８】同一長さの型材より成る補強板部が用いられた実施例の平面図である。
【図９】長さが異なる型材より成る補強板部が用いられた実施例の平面図である。
【図１０】アームを有する実施例の平面図である。
【図１１】アームを有する他の実施例の平面図である。
【図１２】図１１の実施例におけるアームの取付構造を示す断面図である。
【図１３】図１１の実施例におけるアームの取付構造を示す断面図である。
【図１４】従来例の構成を示す縦断面図である。
【発明を実施するための形態】
【００１７】
図１および図２は、この発明の一実施例である庇１の外観および構造を示している。
この庇１は、庇板３が建物の外壁面１０から張り出すように設けられるもので、建物の外壁面１０に固着された保持具２により前記庇板３の基端部が全幅にわたって保持されている。なお、詳細は後述するが、張出し量や幅が大きな庇については、必要に応じて、庇板３の少なくとも１箇所、望ましくは２箇所以上をアームを用いて水平ないしは水平に近い状態で支持することもできる（図１０，１１参照）。
【００１８】
前記庇板３は、図３に示すように、上下に対向する上板部３１および下板部３２と、上板部３１と下板部３２とで挟まれる空間の基端部側に全幅にわたって配置される補強板部４と、上板部３１と下板部３２とで挟まれる空間のほぼ全体に装填される発泡体５と、上板部３１と下板部３２とで挟まれる空間の先端部に全幅にわたって配置される角筒状の補強枠部６と、上板部３１と下板部３２との間の先端の開放端縁に沿って装着される先縁枠７と、上板部３１と下板部３２との間の両側の開放端縁に沿って装着される左右の側縁枠７０，７０とを有するものである。前記発泡体５は硬質発泡ウレタンなど、公知の発泡材により構成される。前記補強板部４は、詳細は後述するが、アルミニウムの押出成形により形成された複数個の型材４０，４１，４２を幅方向に連結して構成されるとともに、各型材４０，４１，４２が前後方向に沿うよう配置されている。この補強枠部６の中空内部にも前記発泡体５が充填されているが、図２に示すように、後述するボルト２４，２６が配置される部分には発泡体５は充填されず、発泡剤の流れを止めるためのストッパー４６が設けられている。
【００１９】
前記保持具２は、庇板３の全幅とほぼ一致する長さを有するもので、建物の外壁面１０に沿ってアンカーボルト２６により止め固定される背板部２０と、背板部２０の前面のほぼ中央部に保持溝２３を挟んで上下に対向するように庇板３の全幅に対応する長さに一体形成された一対の保持板部２１，２２とを備えたものである。なお、保持具２は必ずしも庇板３の全幅にわたる一体のものである必要はなく、複数個に分割されたものであってもよい。また、上下の保持板部２１，２２は図示例のように突出長さが異なっていても同じであってもよい。前記保持溝２３は、庇板３の基端部を前方より差し込むことが可能な溝幅を有し、前面が全長にわたり開放されている。保持板部２１，２２は可撓性を有し、締付ボルト２４およびナット２５による内向きの締付力が作用したとき、内側へわずかに撓んで弾性変形し、庇板３の基端部を挟持する。なお、図２において、２７，２８は保持板部２１，２２、締付ボルト２４、およびナット２５が外部から見えないようにするためのカバーである。また、図１において、２９は保持具２の両側端面を塞ぐ端板である。
【００２０】
前記上板部３１および下板部３２は、アルミニウムなどの金属板材を用いて構成されているが、これに代えて、図４に示すように、合成樹脂製の芯板３３をアルミニウムの表層板３４，３５で挟んで一体に貼り合わされた構造の複合板を用いることもできる。
【００２１】
先縁枠７および側縁枠７０は、アルミニウムの押出成形により形成されており、上板部３１と下板部３２との間の先端の開放端縁および両側の各開放端縁を塞ぐように装着される。上板部３１と下板部３２との間の空間の先端部には補強枠部６が配置されており、先縁枠７は、図５に示すように、補強枠部６に沿う端面部７１と、上板部３１の上面に被さる上面部７２と、下板部３２の下面に被さる下面部７３とを一体に備えている。この先縁枠７は上板部３１および補強枠部６にネジ止めされている。側縁枠７０は、図６に示すように、上板部３１と下板部３２との間の両側の開放端面に沿う端面部７４と、上板部３１の上面に被さる上面部７５と、下板部３２の下面に被さる下面部７６とを一体に備えている。各側縁枠７０は前部が上板部３１および補強枠部６の両端部にネジ止めされるとともに、後部が上板部３１および補強板部４の両側部にネジ止めされている。
【００２２】
補強板部４は、図７に示すように、側端面を互いに突き合わせるようにして幅方向へ連結される複数個の中間部の型材（以下、「中間型材」という。））４０と、両側位置の中間型材４０の外側端面にそれぞれ装着される側部の型材（以下、「側型材」という。）４１，４２とで構成されている。各中間型材４０は、一方の側端面に第１の係合部４３を、他方の側端面に第２の係合部４４を、それぞれ備えている。また、各側型材４１，４２のうちの一方の側型材４１は、内側端面に第１の係合部４３を備え、他方の側型材４２は、内側端面に第２の係合部４４を備えている。
【００２３】
各中間型材４０の第１の係合部４３は他の中間型材４０または側型材４２の第２の係合部４４と係脱可能である。各中間型材４０の第２の係合部４４は他の中間型材４０または側型材４１の第１の係合部４３と係脱可能である。各中間型材４０の内部には、補強のためのリブ４５が長さ方向に設けられている。
【００２４】
図８に示した実施例では、各中間型材４０および側型材４１，４２は全てが同一長さに形成されている。全ての型材４０，４１，４２は基端縁および先端縁を揃えて幅方向に連結されることで補強板部４が構成されている。各型材４０，４１，４２は、それぞれの先端縁が前記保持具２の保持板部２１，２２の先端縁より前方へ突出するようにそれぞれの長さが設定される。
【００２５】
図９は、補強板部４の他の実施例を示している。図示例の補強板部４は、長さが異なる２種類の中間型材４０ａ，４０ｂと同じ長さの両側型材４１，４２とで構成されており、短い中間型材４０ａと長い中間型材４０ｂとは交互に配置されている。全ての型材４０ａ，４０ｂ，４１，４２の基端縁を一直線上に揃え、先端縁を凹凸状にして、各型材４０ａ，４０ｂ，４１，４２を幅方向に連結している。この図示例では、中間型材４０ａの長さを２種類に設定しているが、３種類以上に設定してもよく、さらに、全ての中間型材および側型材の長さを統一せずにばらばらに設定してもよい。
【００２６】
図１０は、２本のアーム８，８を有する庇１に適用される補強板部４の構成例を示している。図示例の補強板部４は、補強板部４を構成する複数個の中間型材４０ａ，４０ｂのうち他の型材より前方へ長く突き出させたアーム連結用の型材４０ｃ，４０ｄを有しており、その型材４０ｃ，４０ｄの先端部分にアーム８の下端部が連結されている。
【００２７】
図１１は、２本のアーム８，８を有する庇１の他の実施例の構成を示している。図示例の庇１では、庇板３の上板部３１と下板部３２とで挟まれる空間の前記補強板部４より前方位置に取付枠部６０が幅方向に配設されており、この取付枠部６０に各アーム８の下端が連結されている。各アーム８は、長さ調節が可能な構成のものであり、アーム８の一端は取付金具８０を介して建物の外壁面１０に支持され、アーム８の他端は長さ調節用のねじ軸８１（図１２，１３に示す。）および取付金具８２を介して庇板３の取付枠部６０に連結されている。
【００２８】
取付金具８２は、図１２および図１３に示すように、ねじ軸８１の一端に取り付けられた取付板８３と、取付板８３を回動自由に支持する枢軸８４と、枢軸８４の両端を支持する一対の支持板８５，８５を有する取付基板８６とで構成されている。取付基板８６には２個の貫通孔８７，８７が形成され、各貫通孔８７に庇板３の上板部３１に形成された取付孔３６より突出するねじ軸６３，６３を挿通してナット６４により固定している。
【００２９】
２本のねじ軸６３は、前記取付枠部６０にスライド自由に係合した位置決め板６５に取り付けられたものである。位置決め板６５は、取付枠部６０の内部に全長にわたって形成された摺動溝６１に摺動自由に係合している。取付枠部６０の上面には摺動溝６１に通じる溝開口６２が形成されており、溝開口６２より各ねじ軸６３が上方へ突出する。
【００３０】
なお、上記の実施例は、庇板３をアーム８により上方から吊持する構成のものであるが、これに限らず、庇板３をアーム８により下方から支持することもできる。
【００３１】
上記した構成の庇１において、庇板３に下向きの風圧などの荷重が作用すると、庇板３の下面は保持具２の下側の保持板部２２の先端縁に押し付けられて荷重が集中するが、庇板３は補強板部４を構成する各型材４０，４１，４２の先端縁が保持具２の保持板部２２の先端縁より前方へ突出しているので、荷重が集中する部分は補強板部４により補強されており、庇板３はその押し付けられた部分で下方へ折れ曲がってくの字形に変形するのが防止される。庇板３に上向きの荷重が作用したときも同様であり、庇板３の上面は保持具２の上側の保持板部２１の先端縁に押し付けられて荷重が集中するが、補強板部４による補強により庇板３はその押し付けられた部分で上方へ折れ曲がってくの字形に変形するのが防止される。
【００３２】
庇板３に下向きまたは上向きの荷重が作用したとき、その荷重は庇板３を補強板部４の先端縁に沿って曲げる力として作用するが、図９〜図１１の実施例では、補強板部４の先端縁が凹凸状であって一直線上に揃っていないから、庇板３は補強板部４の先端縁に沿って折れ曲がりにくく、耐荷重性に優れている。なお、アーム８を備えた図１０および図１１の実施例では、風圧などの荷重に対する耐荷重性は一層高められている。
【符号の説明】
【００３３】
１    庇
２    保持具
３    庇板
４    補強板部
５    発泡体
７    先縁枠
８    アーム
２１，２２  保持板部
４０，４１，４２  型材
７０  側縁枠
【図１】
2013060739.tif 000003
【図２】
2013060739.tif 000004
【図３】
2013060739.tif 000005
【図４】
2013060739.tif 000006
【図５】
2013060739.tif 000007
【図６】
2013060739.tif 000008
【図７】
2013060739.tif 000009
【図８】
2013060739.tif 000010
【図９】
2013060739.tif 000011
【図１０】
2013060739.tif 000012
【図１１】
2013060739.tif 000013
【図１２】
2013060739.tif 000014
【図１３】
2013060739.tif 000015
【図１４】
2013060739.tif 000016
【手続補正書】
【提出日】平成24年6月12日(2012.6.12)
【手続補正１】
【補正対象書類名】特許請求の範囲
【補正対象項目名】請求項１
【補正方法】変更
【補正の内容】
【請求項１】
庇板が建物より前方へ張り出すように庇板の基端部が建物の外壁面に取り付けられた保持具の上下に対向する保持板部間に保持されて成る庇において、
前記庇板は、上下に対向する上板部および下板部と、上板部と下板部とで挟まれる空間の基端部側に先端部側に空間を残して全幅にわたって配置される補強板部とを有し、前記補強板部は、アルミニウムの押出成形により形成された複数個の中空の中間型材を側端面を互いに突き合せるようにして基端縁を揃えて幅方向に連結するとともに、両側位置の中間型材の外側端面にアルミニウムの押出成形により形成された中空の側型材を中間型材と基端縁を揃えてそれぞれ装着して構成されるとともに、各型材が前後方向に沿うよう配置されており、各型材は、それぞれの先端縁が前記保持具の各保持板部の先端縁より前方へ突出するようにそれぞれの長さが設定されて成る庇。
【手続補正２】
【補正対象書類名】特許請求の範囲
【補正対象項目名】請求項２
【補正方法】変更
【補正の内容】
【請求項２】
前記庇板は、上板部と下板部とで挟まれる先端部側の空間および補強板材の中空内部に発泡体が装填されている請求項１に記載された庇。
【手続補正３】
【補正対象書類名】明細書
【補正対象項目名】０００７
【補正方法】変更
【補正の内容】
【０００７】
この発明による庇は、庇板が建物より前方へ張り出すように庇板の基端部が建物の外壁面に取り付けられた保持具の上下に対向する保持板部間に保持されて成るものであり、前記庇板は、上下に対向する上板部および下板部と、上板部と下板部とで挟まれる空間の基端部側に先端部側に空間を残して全幅にわたって配置される補強板部とを有している。前記補強板部は、アルミニウムの押出成形により形成された複数個の中空の中間型材を側端面を互いに突き合せるようにして基端縁を揃えて幅方向に連結するとともに、両側位置の中間型材の外側端面にアルミニウムの押出成形により形成された中空の側型材を中間型材と基端縁を揃えてそれぞれ装着して構成されるとともに、各型材が前後方向に沿うよう配置されている。各型材は、それぞれの先端縁が前記保持具の各保持板部の先端縁より前方へ突出するようにそれぞれの長さが設定されている。
【手続補正４】
【補正対象書類名】明細書
【補正対象項目名】０００９
【補正方法】変更
【補正の内容】
【０００９】
好ましい実施態様の庇では、前記庇板は、上板部と下板部とで挟まれる先端部側の空間および補強板材の中空内部に発泡体が装填されており、さらに好ましい実施態様の庇では、上板部と下板部との間の先端の開放端縁に沿って装着される先縁枠と、両側の開放端縁に沿って装着される側縁枠とを有している。なお、先縁枠および側縁枠は、例えば、補強板部を構成する両側の型材を先端部まで延出させることで側縁枠を省略したり、上板部と下板部とで挟まれる空間の先端部に全幅にわたって型材を配設することで先縁枠を省略したりすることも可能である。
【手続補正５】
【補正対象書類名】明細書
【補正対象項目名】００１８
【補正方法】変更
【補正の内容】
【００１８】
前記庇板３は、図３に示すように、上下に対向する上板部３１および下板部３２と、上板部３１と下板部３２とで挟まれる空間の基端部側に全幅にわたって配置される補強板部４と、上板部３１と下板部３２とで挟まれる空間のほぼ全体に装填される発泡体５と、上板部３１と下板部３２とで挟まれる空間の先端部に全幅にわたって配置される角筒状の補強枠部６と、上板部３１と下板部３２との間の先端の開放端縁に沿って装着される先縁枠７と、上板部３１と下板部３２との間の両側の開放端縁に沿って装着される左右の側縁枠７０，７０とを有するものである。前記発泡体５は硬質発泡ウレタンなど、公知の発泡材により構成される。前記補強板部４は、詳細は後述するが、アルミニウムの押出成形により形成された複数個の型材４０，４１，４２を幅方向に連結して構成されるとともに、各型材４０，４１，４２が前後方向に沿うよう配置されている。この補強板部４の中空内部にも前記発泡体５が充填されているが、図２に示すように、後述するボルト２４，２６が配置される部分には発泡体５は充填されず、発泡剤の流れを止めるためのストッパー４６が設けられている。